(57)【要約】【課題】印刷物の取り忘れを防止することでセキュリティの向上を図り、また、システム全体の効率化とユーザの操作性の向上を図ることができる画像処理装置を提供する。【解決手段】画像処理装置は、以下の機能を有するＣＰＵ１０１を備える。即ち、ＣＰＵ１０１は、ＰＣを含む外部機器から送信されたジョブとユーザを特定するためのユーザＩＤを受信する。また、ＣＰＵ１０１は、特定エリア内から退出するユーザを特定するためのユーザＩＤを受信する。そして、ＣＰＵ１０１は、特定エリア内から退出するユーザＩＤが、ＰＣを含む外部機器から送信されたジョブとユーザを特定するためのユーザＩＤと一致するかどうかを確認する。ＣＰＵ１０１は、ユーザＩＤが一致すると確認された場合に、ユーザのジョブが実行されたかどうかを確認し、ジョブが実行されていないと確認された場合、受信したジョブの属性を変更する。【選択図】図１
2010243841.tif 000002
【特許請求の範囲】
【請求項１】
ＰＣを含む外部機器から送信されたジョブとユーザを特定するためのユーザＩＤを受信する第１の受信手段と、
特定エリア内から退出するユーザを特定するためのユーザＩＤを受信する第２の受信手段と、
前記第２の受信手段により受信したユーザＩＤが、前記第１の受信手段で受信したユーザＩＤと一致するかどうかを確認する第１の確認手段と、
前記第１の確認手段によりユーザＩＤが一致すると確認された場合に、前記第１の受信手段により受信したユーザのジョブが実行されたかどうかを確認する第２の確認手段と、
前記第２の確認手段によりジョブが実行されていないと確認された場合、前記第１の受信手段で受信したジョブの属性を変更する変更手段と、
を備えることを特徴とする画像処理装置。
【請求項２】
前記第１の受信手段により受信したユーザのジョブが実行されていた場合に、排紙部に出力されている印刷物の量を検知する排紙部センサにより印刷物を取りに来たかどうかを検知し、印刷物を取りに来ていない場合は、特定エリア内から退出するユーザに警告を出す警告手段を備えることを特徴とする請求項１記載の画像処理装置。
【請求項３】
前記第２の受信手段が特定エリア内から出たユーザの中で特定エリア内に戻ったユーザのユーザＩＤを受信すると、前記変更手段により変更したジョブの中で前記特定エリア内に戻ったユーザのジョブを変更前の状態に戻すリトライ手段を備えることを特徴とする請求項１または２記載の画像処理装置。
【請求項４】
前記第１の受信手段により受信したジョブを実行するためにかかる時間を予測する予測手段を備え、
前記変更手段は、前記予測手段の予測の結果に基づいて、前記第１の受信手段で受信したジョブの属性を変更することを特徴とする請求項１乃至３のいずれかに記載の画像処理装置。
【請求項５】
前記変更手段は、前記排紙部センサの検知の結果に基づいて、前記第１の受信手段で受信したジョブの属性を変更することを特徴とする請求項２または３記載の画像処理装置。
【請求項６】
ＰＣを含む外部機器から送信されたジョブと、ユーザを特定するためのユーザＩＤを受信する第１の受信ステップと、
特定エリア内から退出するユーザを特定するためのユーザＩＤを受信する第２の受信ステップと、
前記第２の受信ステップにより受信したユーザＩＤが、前記第１の受信ステップで受信したユーザＩＤと一致するかどうかを確認する第１の確認ステップと、
前記第１の確認ステップによりユーザＩＤが一致すると確認された場合に、前記第１の受信ステップにより受信したユーザのジョブが実行されたかどうかを確認する第２の確認ステップと、
前記第２の確認ステップによりジョブが実行されていないと確認された場合、前記第１の受信ステップで受信したジョブの属性を変更する変更ステップと、
を備えることを特徴とする画像処理装置の制御方法。
【請求項７】
ＰＣを含む外部機器から送信されたジョブと、ユーザを特定するためのユーザＩＤを受信する第１の受信ステップと、
特定エリア内から退出するユーザを特定するためのユーザＩＤを受信する第２の受信ステップと、
前記第２の受信ステップにより受信したユーザＩＤが、前記第１の受信ステップで受信したユーザＩＤと一致するかどうかを確認する第１の確認ステップと、
前記第１の確認ステップによりユーザＩＤが一致すると確認された場合に、前記第１の受信ステップにより受信したユーザのジョブが実行されたかどうかを確認する第２の確認ステップと、
前記第２の確認ステップによりジョブが実行されていないと確認された場合、前記第１の受信ステップで受信したジョブの属性を変更する変更ステップと、
を備える画像処理装置の制御方法をコンピュータに実行させるプログラム。
【発明の詳細な説明】
【技術分野】
【０００１】
本発明は、入退出管理システムと連携した画像処理装置（画像形成装置）に関し、特に、外部機器からの印刷ジョブを実行した後に、印刷物が放置されてしまうのを防ぐ技術に特徴のある画像処理装置に関する。
【背景技術】
【０００２】
ＰＣ等の外部機器から印刷ジョブを画像処理装置に送り、画像処理装置でこの印刷ジョブを実行して印刷物を出力することができる。しかし、印刷ジョブを画像処理装置に出したユーザが印刷物を取りに来ないと、印刷物がそのまま放置されて他のユーザに見られてしまう、もしくは他のユーザに持っていかれてしまうというセキュリティ上の問題があった。
【０００３】
特に、画像処理装置に多数の印刷ジョブが溜まっている場合や、ジャムや消耗品の交換中によりデバイスが停止して待ち時間が長い場合は、印刷したことを忘れてしまうことがたびたび発生していた。
【０００４】
印刷物の取り忘れを防ぐための従来の技術としては、残紙検知手段により印刷物が放置されたままになっていたら、通知先にメールや電話等で連絡する技術がある（例えば、特許文献１参照）。
【先行技術文献】
【特許文献】
【０００５】
【特許文献１】特開２００２−１３２１００号公報
【発明の概要】
【発明が解決しようとする課題】
【０００６】
従来のメールや電話で印刷物の取り忘れを連絡する技術では、印刷ジョブを画像処理装置に送信したユーザがメールや電話等の連絡を受け取る手段が有効になっていない場合、印刷物が放置されたままになっていることを検知することができない。また、印刷ジョブが実行されるまで連絡を受け取ることができないため、印刷ジョブが実行されるまでに時間がかかる場合、印刷したことを忘れてしまうという課題もある。
【０００７】
この課題を解決する手法として、待ち時間が長くなるジョブは自動的にキャンセルする手法や別の画像処理装置に転送する手法も考えられるが、これらの手法ではユーザが希望する画像処理装置で印刷物を出すことができないという課題があった。
【０００８】
本発明の目的は、印刷物の取り忘れを防止することでセキュリティの向上を図り、また、システム全体の効率化とユーザの操作性の向上を図ることができる画像処理装置を提供することにある。
【課題を解決するための手段】
【０００９】
上記目的を達成するために、請求項１記載の画像処理装置は、ＰＣを含む外部機器から送信されたジョブとユーザを特定するためのユーザＩＤを受信する第１の受信手段と、特定エリア内から退出するユーザを特定するためのユーザＩＤを受信する第２の受信手段と、前記第２の受信手段により受信したユーザＩＤが、前記第１の受信手段で受信したユーザＩＤと一致するかどうかを確認する第１の確認手段と、前記第１の確認手段によりユーザＩＤが一致すると確認された場合に、前記第１の受信手段により受信したユーザのジョブが実行されたかどうかを確認する第２の確認手段と、前記第２の確認手段によりジョブが実行されていないと確認された場合、前記第１の受信手段で受信したジョブの属性を変更する変更手段とを備えることを特徴とする。
【００１０】
請求項６記載の画像処理装置の制御方法は、ＰＣを含む外部機器から送信されたジョブと、ユーザを特定するためのユーザＩＤを受信する第１の受信ステップと、特定エリア内から退出するユーザを特定するためのユーザＩＤを受信する第２の受信ステップと、前記第２の受信ステップにより受信したユーザＩＤが、前記第１の受信ステップで受信したユーザＩＤと一致するかどうかを確認する第１の確認ステップと、前記第１の確認ステップによりユーザＩＤが一致すると確認された場合に、前記第１の受信ステップにより受信したユーザのジョブが実行されたかどうかを確認する第２の確認ステップと、前記第２の確認ステップによりジョブが実行されていないと確認された場合、前記第１の受信ステップで受信したジョブの属性を変更する変更ステップとを備えることを特徴とする。
【００１１】
請求項７記載のプログラムは、ＰＣを含む外部機器から送信されたジョブと、ユーザを特定するためのユーザＩＤを受信する第１の受信ステップと、特定エリア内から退出するユーザを特定するためのユーザＩＤを受信する第２の受信ステップと、前記第２の受信ステップにより受信したユーザＩＤが、前記第１の受信ステップで受信したユーザＩＤと一致するかどうかを確認する第１の確認ステップと、前記第１の確認ステップによりユーザＩＤが一致すると確認された場合に、前記第１の受信ステップにより受信したユーザのジョブが実行されたかどうかを確認する第２の確認ステップと、前記第２の確認ステップによりジョブが実行されていないと確認された場合、前記第１の受信ステップで受信したジョブの属性を変更する変更ステップとを備える画像処理装置の制御方法をコンピュータに実行させる。
【発明の効果】
【００１２】
本発明の画像処理装置によれば、印刷物の取り忘れを防止することでセキュリティの向上を図り、また、システム全体の効率化とユーザの操作性の向上を図ることができる。
【図面の簡単な説明】
【００１３】
【図１】本発明の実施の形態に係る画像処理装置のコントローラユニットを中心としたブロック構成図である。
【図２】図１の画像処理装置に印刷ジョブを投入する外部機器の一例としてのＰＣ（パーソナルコンピュータ）のコントローラユニットを中心としたブロック構成図である。
【図３】入退出管理システムのコントローラユニットを中心としたブロック構成図である。
【図４】図１の画像処理装置の操作部に表示されるボックス画面の一表示例を示す図である。
【図５】図１の画像処理装置の排紙部の構成図である。
【図６】図３の入退出管理システムの操作部の一具体例を示す図である。
【図７】図２のＰＣによって実行される、画像処理装置に送信する印刷ジョブ及びユーザＩＤの生成処理の手順を示すフローチャートである。
【図８】図２のＰＣの操作部に表示されるユーザ認証画面の一表示例を示す図である。
【図９】図２のＰＣの操作部に表示される印刷設定画面の一表示例を示す図である。
【図１０】特定エリアと図３の入退出管理システムの関係を示す概念図である。
【図１１】図３、図１０の入退出管理システムによって実行されるユーザ認証処理の手順を示すフローチャートである。
【図１２】図３の入室管理システムの操作部に表示される一表示例を示す図である。
【図１３】図１の画像処理装置内のＨＤＤに記憶されている実行待ちキューの一例を示す図である。
【図１４】図１の画像処理装置内のＨＤＤに記憶されている紙放置リストの一例を示す図である。
【図１５】図１の画像処理装置によって実行される、図３、図１０の入退出管理システムからユーザＩＤを受信したときのユーザＩＤ受信処理の手順を示すフローチャートである。
【図１６】図１の画像処理装置によるジョブ実行処理の手順を示すフローチャートである。
【図１７】図１の画像処理装置内のＨＤＤに記憶されている実行待ちキューの一例を示す図である（１）。
【図１８】図１の画像処理装置内のＨＤＤに記憶されている実行待ちキューの一例を示す図である（２）。
【図１９】図１の画像処理装置によって実行される実行待ちキューの退出ユーザ値決定処理の手順を示すフローチャートである（１）。
【図２０】図１の画像処理装置によって実行される実行待ちキューの退出ユーザ値決定処理の手順を示すフローチャートである（２）。
【発明を実施するための形態】
【００１４】
以下、本発明を図面を参照しながら詳細に説明する。
【００１５】
（第１の実施の形態）
図１は、本発明の実施の形態に係る画像処理装置のコントローラユニットを中心としたブロック構成図である。
【００１６】
＜画像処理装置のコントローラユニットの内部構成＞
コントローラユニット１００は、スキャナバス１２２を介してスキャナ１２３に接続され、またプリンタバス１２４を介してプリンタ１２５に接続される。
【００１７】
また、コントローラユニット１００は、ＬＡＮ１１３や公衆回線（ＷＡＮ）１１４や無線（ＷＩＲＥＬＥＳＳ）１１５を介して他の機器に接続して、画像情報やデバイス情報の入出力制御を行う。
【００１８】
ＣＰＵ１０１は、システム全体を制御するコントローラである。ＲＡＭ１０２は、ＣＰＵ１０１が動作するためのシステムワークメモリであり、画像データを一時記憶するための画像メモリでもある。
【００１９】
ＲＯＭ１０３は、ブートＲＯＭであり、ＲＯＭ１０３にはシステムのブートプログラムが格納されている。ＨＤＤ１０４は、ハードディスクドライブであり、システムソフトウェアや画像データ、通信に使用する情報等を格納する。
【００２０】
操作部Ｉ／Ｆ１０６は、操作部（ＵＩ）１１２との間のインターフェース部であり、操作部１１２に表示すべき画像データを操作部１１２に対して出力する。また、操作部１１２から本システムのユーザが入力した情報を、ＣＰＵ１０１に伝える役割を行う。
【００２１】
排紙部Ｉ／Ｆ１２６は、排紙部（フィーダ等）１２７との間のインターフェース部であり、排紙部１２７に出力する紙の制御を行うための情報を出力する。ネットワーク部（第１の受信手段及び第２の受信手段）１０９は、ＬＡＮ１１３に接続され、情報の入出力を行う。モデム１１０は、公衆回線１１４に接続され、情報の入出力を行う。
【００２２】
通信部１１１は、無線１１５に接続され、情報の入出力を行う。また、通信部１１１は、複数種類の無線通信を行うことが可能である。上記各デバイスがシステムバス１０７上に配置される。
【００２３】
イメージバスＩ／Ｆ１０５は、システムバス１０７と、画像データを高速で転送する画像バス１０８とを接続し、データ構造を変換するバスブリッジである。画像バス１０８は、ＰＣＩバスまたはＩＥＥＥ１３９４等で規定されるバスである。
【００２４】
画像バス１０８上に配置される各デバイスにおいて、ラスターイメージプロセッサ（ＲＩＰ）１１６は、ＰＤＬコードをビットマップイメージに展開する。デバイスＩ／Ｆ１１７は、スキャナ１２３またはプリンタ１２５をコントローラユニット１００に接続し、画像データの同期系／非同期系の変換を行う。
【００２５】
スキャナ画像処理部１１８は、入力画像データに対して補正、加工、または編集を行う。プリンタ画像処理部１１９は、プリント出力画像データに対して、プリンタ１２５に合った補正、解像度変換等を行う。画像回転部１２０は、画像データの回転を行う。画像処理部１２１は、画像データに対する、ＪＰＥＧ、ＪＢＩＧ、ＭＭＲ、ＭＨ等の圧縮伸張処理や、ＰＤＦ、ＴＩＦＦ、ＯＣＲ、暗号化等のフォーマット変換処理を行う。
【００２６】
図２は、図１の画像処理装置に印刷ジョブを投入する外部機器の一例としてのＰＣ（パーソナルコンピュータ）のコントローラユニットを中心としたブロック構成図である。
【００２７】
尚、ここでのＰＣは一般的なＰＣであるため、本実施の形態と関係のない構成についての説明は省略する。
【００２８】
＜ＰＣのコントローラユニットの内部構成＞
コントローラユニット２００は、バス２１６を介してキーボードやマウス等の入力デバイス２１７に接続される。また、ＬＡＮ２１３や公衆回線（ＷＡＮ）２１４や無線（ＷＩＲＥＬＥＳＳ）２１５を介して他の機器に接続して、印刷情報やユーザ情報の入出力制御を行う。
【００２９】
ＣＰＵ２０１は、システム全体を制御するコントローラである。ＲＡＭ２０２は、ＣＰＵ２０１が動作するためのシステムワークメモリであり、画像データを一時記憶するための画像メモリでもある。
【００３０】
ＲＯＭ２０３は、ブートＲＯＭであり、ＲＯＭ２０３にはシステムのブートプログラムが格納されている。ＨＤＤ２０４は、ハードディスクドライブであり、システムソフトウェアや画像データ、通信部に必要な情報等を格納する。
【００３１】
操作部Ｉ／Ｆ２０６は、ディスプレイ等の操作部２１２との間のインターフェース部であり、操作部２１２に表示すべき画像データを操作部２１２に対して出力する。また、操作部２１２から本システムのユーザが入力した情報を、ＣＰＵ２０１に伝える役割を行う。ネットワーク部２０９は、ＬＡＮ２１３に接続され、情報の入出力を行う。モデム２１０は、公衆回線２１４に接続され、情報の入出力を行う。
【００３２】
通信部２１１は、無線２１５に接続され、情報の入出力を行う。また、通信部２１１は複数種類の無線通信を行うことが可能である。上記各デバイスがシステムバス２０７上に配置される。
【００３３】
入出力部Ｉ／Ｆ２０５は、入力デバイス２１７に接続し、入力情報や入力指示等の情報を受け取る。また、画像処理部２０８は、画像データを画像処理装置で印刷できる形式に変換するために、ＪＰＥＧ、ＪＢＩＧ、ＭＭＲ、ＭＨ等の圧縮伸張処理や、ＰＤＦ、ＴＩＦＦ、ＯＣＲ、暗号化等のフォーマット変換処理を行う。
【００３４】
図３は、入退出管理システムのコントローラユニットを中心としたブロック構成図である。
【００３５】
次に、特定エリア内からユーザが出たことを検知するための一例として、特定エリアの出入り口に設置される入退出管理システムのコントローラユニットの内部構成について、図３を用いて説明を行う。
【００３６】
＜入退出管理システムのコントローラユニットの内部構成＞
コントローラユニット３００は、ＬＡＮ３１０や公衆回線（ＷＡＮ）３１１や無線（ＷＩＲＥＬＥＳＳ）３１２を介して他の機器に接続して、印刷情報やユーザ情報の入出力制御を行う。
【００３７】
ＣＰＵ３０１は、システム全体を制御するコントローラである。ＲＡＭ３０２は、ＣＰＵ３０１が動作するためのシステムワークメモリであり、画像データを一時記憶するための画像メモリでもある。
【００３８】
ＲＯＭ３０３は、ブートＲＯＭであり、ＲＯＭ３０３にはシステムのブートプログラムが格納されている。ＨＤＤ３０４は、ハードディスクドライブであり、システムソフトウェアやユーザ情報、通信に必要な情報、そして特定のエリア内に存在する画像処理装置の通信アドレス等を格納する。
【００３９】
操作部Ｉ／Ｆ３０５は、操作部３１３とカードリーダ３１４との間のインターフェース部であり、操作部３１３に表示すべき画像データを操作部３１３に対して出力する。また、操作部３１３やカードリーダ３１４から本システムのユーザが入力した情報を、ＣＰＵ３０１に伝える役割を行う。
【００４０】
ネットワーク部３０７は、ＬＡＮ３１０に接続され、情報の入出力を行う。モデム３０８は、公衆回線３１１に接続され、情報の入出力を行う。
【００４１】
通信部３０９は、無線３１２に接続され、情報の入出力を行う。また、通信部３０９は複数種類の無線通信を行うことが可能である。上記各デバイスがシステムバス３０６上に配置される。
【００４２】
＜画像処理装置の操作部の構成＞
図４は、図１の画像処理装置の操作部１１２に表示されるボックス画面の一表示例を示す図である。
【００４３】
操作部１１２はタッチパネルになっている。また、操作部１１２には、数字を入力するためのテンキーや処理の実行を行うためのスタートキー等のハードキーも備えている（不図示）。操作部１１２のタッチパネルに表示される各設定項目を示すアイコンやボタン（もしくはハードキー）をタッチ（押下）することで、画像処理装置に設定や情報の入力を行うことが可能である。
【００４４】
この操作部１１２は、各画面で共通の内容が表示される共通エリア４０１と、各画面で異なる内容が表示される機能エリア４０２からなる。
【００４５】
共通エリア４０１は、コピータブ４０３、センドタブ４０４、ボックスタブ４０５、システムタブ４０６からなる。
【００４６】
コピータブ４０３は、コピーに関する設定や処理を行うためのコピー画面を表示するためのボタンである。またセンドタブ４０４は、センドに関する設定や処理を行うためのセンド画面を表示するためのボタンである。
【００４７】
また、ボックスタブ４０５は、ボックスに関する設定や処理を行うためのボックス画面を表示するためのボタンである（現在選択されていることが分かるように反転表示となっている）。また、システムタブ４０６は、システム全体に関する情報を見るためのシステム状況画面を表示するためのボタンである。
【００４８】
これらのタブ４０３〜４０６は排他構造になっており、どれか１つのみが有効となり、その内容が機能エリア４０２に表示される。
【００４９】
尚、図４では、ボックス画面の一例を表示している。
【００５０】
＜排紙部の排紙部センサの構成＞
図５は、図１の画像処理装置の排紙部１２７の構成図である。
【００５１】
画像処理装置５０１は、排紙部Ｉ／Ｆ１２６により排紙部ユニット５０２と通信を行っている。この排紙部ユニット５０２には排紙部センサ５０３を備えており、この排紙部センサ５０３により、排紙部ユニット５０２からユーザが印刷物５０５を持って行ったかどうかを判断するための情報を取得することができる。
【００５２】
具体的には、排紙部センサ５０３は、検知エリア５０４を物体が通過したかどうかを検知することで、印刷物５０５が取り出されたかどうかを判断する（以降では、物体が通過したら印刷物が取り出されたこととする）。
【００５３】
また、この排紙部センサ５０３は、可動式であり、センサで認識できる検知エリア５０４を印刷物５０５のある位置に移動することで、印刷物５０５があるかどうかの検知を行うこともできる。また、この排紙部ユニット５０２と排紙部センサ５０３は、コントローラユニット１００が起動している間は常に起動しているものとする。
【００５４】
尚、この排紙部センサ５０３は、一般的なセンサと同じ構造であるため、詳細の説明は省略する。
【００５５】
＜入退出管理システムの操作部の構成＞
図３の入退出管理システムの操作部３１３の一具体例を、図６を用いて説明する。尚、操作部３１３はカードリーダと一体式になっていることとする。
【００５６】
この操作部３１３は、認証メッセージエリア６０１と印刷物メッセージエリア６０４と、カードリーダ認識部６０２からなる。認証メッセージエリア６０１には「退出する際は、横のリーダ部にカードを通してください」等のメッセージが表示され、印刷物メッセージエリア６０４には「印刷物チェック結果」等のメッセージが表示されている。
【００５７】
カードリーダ認識部６０２には、ユーザがカードを通すことの溝があり、ここに通した磁気カードの情報を読み込むことができる（一般的なカードリーダのため詳細は省略する）。
【００５８】
尚、操作部Ｉ／Ｆ３０５を通して受信した情報からユーザ情報を検出することができる。この検出したユーザ情報から、正しいユーザ（予め登録されているユーザ）であるかを判断し、この結果を認証結果エリア６０３に表示する。認証結果がＯＫの場合は更に、このユーザ情報を画像処理装置に通知し、画像処理装置からの結果に応じたメッセージを印刷物結果エリア６０５に表示する。
【００５９】
＜ＰＣにおける処理＞
図７は、図２のＰＣによって実行される、画像処理装置に送信する印刷ジョブ及びユーザＩＤの生成処理の手順を示すフローチャートである。
【００６０】
ＰＣ内で画像処理装置に送信する印刷ジョブとユーザＩＤを生成する処理について、図７のフローチャートを用いて説明する。
【００６１】
＜システム処理を実現するためのハードウエアについて＞
尚、以下の説明では明示的な記述を行わないものはすべて、各コントローラユニットのＣＰＵが、ＨＤＤに格納している制御プログラムやデータを基にして、処理や判断そして操作部や画像処理部へのデータ入出力を行うこととする。
【００６２】
また、処理の途中で作成したデータや操作部Ｉ／Ｆ、ネットワーク部、モデム、通信部を通して外部から受信したデータは全て各コントローラユニットのＨＤＤに格納することとする。また、ユーザに表示する情報は、すべて各コントローラユニットのＨＤＤに格納してから、操作部Ｉ／Ｆを通して操作部に表示していることとする。
【００６３】
ユーザがＰＣを起動すると、操作部２１２に図８のようなユーザ認証画面を表示する（ステップＳ７０１）。この画面において、キーボード等の入力デバイス２１７によりユーザＩＤとパスワードが、ユーザＩＤエリア８０１とパスワードエリア８０２に入力されたことをＣＰＵ２０１で検知すると、次の処理を行う。
【００６４】
まず、この入力されたユーザＩＤとパスワードが、予めＨＤＤ２０４に記憶されている情報と一致するかどうかの認証を行う（ステップＳ７０２）。尚、以降では、入力したユーザ情報（ユーザＩＤ）とパスワードのペアが、予めＨＤＤ２０４に記憶されているユーザ情報とパスワードに一致する場合は正しいユーザであるといい、一致しない場合は不正なユーザであるという。
【００６５】
この認証結果により、不正なユーザから入力されたと判断された場合は、再度入力デバイス２１７からの入力前の状態に戻す（ステップＳ７０１の前に戻り、操作部２１２に再び図８に示すようなユーザ認証画面を表示する）。
【００６６】
一方、この認証結果により、正しいユーザであると判断された場合は、このユーザをログイン状態のユーザとして、それ以降の処理（ステップＳ７０３〜ステップＳ７０４）に進む。
【００６７】
続いて、ユーザがにより、ＰＣ上でファイル編集等のアプリケーションプログラムを実行したときの処理を説明する。ユーザが、アプリケーションプログラムから印刷指示を行うと、操作部２１２上に図９のような印刷設定画面を表示する。
【００６８】
この画面で、印刷設定（ここでは画像処理装置（プリンタ）Ａに対して全ページを１部印刷するという設定）を行い、ＯＫボタン９０１の押下が行われると次の処理を行う。
【００６９】
ＣＰＵ２０１によりＯＫボタン９０１により印刷開始を実行したことを検知すると（ステップＳ７０３）、操作部２１２で設定した情報を基にして、印刷データ、ログイン状態のユーザ情報（ユーザＩＤ）、印刷を行うために通信する画像処理装置を特定する。
【００７０】
尚、ここでの印刷データは、画像処理部２０８により、ステップＳ７０４において特定された画像処理装置で印刷可能なデータ形式（例えば、ＰＤＬコード）に変換したデータである。
【００７１】
そして、ＰＣから特定した画像処理装置に対して、印刷ジョブ（印刷データを含む）とユーザＩＤを、ＬＡＮ２１３経由で送信する（ステップＳ７０４）。
【００７２】
このような処理により、ＰＣから画像処理装置に印刷ジョブとユーザＩＤを送信することができる。
【００７３】
＜入退出管理システムにおける処理＞
まず、特定エリア内に設置された入退出管理ステムと画像処理装置の一具体例について図１０を用いて説明する。ここでは、特定エリア１００１に、画像処理装置１００４と画像処理装置１００５が設置されている。
【００７４】
また、この特定エリア１００１から退出するための出入口１００２付近には入退出管理システム１００３が設置されている。そして、この特定エリア１００１から退出ためには、入退出管理システム１００３で認証を行い、退出ＯＫになったときに出入口が開く。
【００７５】
図１１は、図３、図１０の入退出管理システムによって実行されるユーザ認証処理の手順を示すフローチャートである。
【００７６】
続いて、ユーザが特定のエリア内から退出ときに、入退出管理システムにより行うユーザ認証の処理を、図１１を用いて説明する。
【００７７】
ユーザが入退出管理システム１００３のカードリーダ認識部６０２にカードを通したことをＣＰＵ３０１で検知すると、操作部Ｉ／Ｆ３０５を経由してこのカードに記憶されているユーザＩＤを受信する（ステップＳ１１０１）。そして、このユーザＩＤがＨＤＤ３０４に予め記憶されているユーザＩＤと一致するか比較する（ステップＳ１１０２）。
【００７８】
この比較により一致しない場合は、不正なユーザであるとみなし、認証結果エリア６０３にＮＧを表示して、ユーザＩＤを受信する前の状態（ステップＳ１１０１の前）に戻る。
【００７９】
一方、この比較により一致する場合は、正しいユーザであるとみなし、認証結果エリア６０３にＯＫを表示して、特定エリア内に存在する画像処理装置に対して、ＬＡＮ３１１経由でこのユーザＩＤを通知する（ステップＳ１１０３）。
【００８０】
画像処理装置からこのユーザＩＤに対して、「退出ＯＫ」もしくは「退出ＮＧ」の情報が通知されるので（この処理の詳細は以降に記述あり）、「退出ＮＧ」の通知がないかどうかの判断を行う（ステップＳ１１０４）。
【００８１】
ユーザＩＤを通知したすべての画像処理装置から「退出ＯＫ」が通知された場合は、印刷物結果エリア６０５にＯＫを表示して完了する（ステップＳ１１０５）。尚、特定の時間が経過してもユーザＩＤに対する判断結果を受信できなかった画像処理装置に対しては、退出ＯＫが通知されたこととみなす（退出ＮＧでもよいが、本実施の形態では退出ＯＫとみなす）。そして出入口１００２を開く。
【００８２】
一方、ユーザＩＤを送信した画像処理装置から１つでも「退出ＮＧ」の情報を受信すると、印刷物結果エリア６０５にＮＧの警告メッセージ（例えば、図１２）を表示して完了する（ステップＳ１１０６）。
【００８３】
尚、本実施の形態では、出入口１００２を閉じたままにする（開くことにしてもよいが、閉じたままにすることで、印刷した出力物を強制的に取りに行かせることとした）。
【００８４】
以上のような処理を行うことで、特定エリア内からユーザが退出する場合、排紙部１２７に印刷物を取りに来ていない場合は印刷物を取りにくるような警告を出し、排紙部１２７に印刷物がない場合は警告なしに特定エリアから退出することができる。
【００８５】
＜画像処理装置における処理＞
まず初めに、画像処理装置のＨＤＤ１０４内に記憶されている実行待ちキューと紙放置リストについての説明を行う。その後に、入退出管理システム１００３からのユーザＩＤを画像処理装置で受け取ったときの説明を行い、最後に画像処理装置で実際にジョブを実行するときの処理を説明する。
【００８６】
＜実行待ちキュー＞
画像処理装置のネットワーク部１０９でＰＣから送信された印刷ジョブとユーザＩＤを受信すると、この２つを対応付けてＨＤＤ１０４内の実行待ちキューに記憶する。この実行待ちキューは、コピーやプリント、ボックス保存等の属性を持つ各ジョブが実行される順に並んでいるキューである。そのため、新しいジョブが追加されるとこのキューの最後尾に加わる。
【００８７】
例えば、ユーザＩＤ：３８６１０の印刷ジョブ（ジョブの属性がプリントで、設定としては全体ページが３ページで、用紙サイズがＡ４で、部数が１部のジョブ）が最後に加わった実行待ちキューの一例を、図１３に示す。
【００８８】
尚、このキューでは退出ユーザという項目も関連付けて記憶されており、新しく追加されたジョブの場合は、デフォルト値の０（退出していないことを示す）が自動的に入る。
【００８９】
また、入退出管理システム１００３から通知されると、このユーザＩＤに対応付けられている退出ユーザの値が１（退出したことを示す）に変化する。例えば、入退出管理システムから、ユーザＩＤ：３８６１０が通知されると、図１３のキューＮｏ．３の退出ユーザの値が１に変化する。
【００９０】
＜紙放置リスト＞
画像処理装置のＨＤＤ１０４には、紙放置リストも記憶されており、実際に印刷物を出力した内容がこのリストに追加される（紙放置リストの一例を図１４に示す）。この紙放置リストには、印刷を行ったユーザの情報を特定するユーザＩＤと、紙を取りに来たかどうかを判断するための紙放置フラグがある。最初にこのリストに追加されるときは、紙放置フラグはデフォルトの１（放置中を示す）が自動的に入る。
【００９１】
尚、排紙部Ｉ／Ｆ１２６により、出力物（印刷物）が取り出されたことが通知されると、このリストに登録されている全ての紙放置フラグは、０（放置なしを示す）に変化する。例えば、図１４のような紙放置リストの状態のときに、排紙部Ｉ／Ｆ１２６から出力物を取り出されたことが通知されると、リストＮｏ１〜３の紙放置フラグをすべて０に変化する。
【００９２】
尚、本実施の形態では、全ての紙放置フラグを０にする。しかし、例えば、複数の出力トレイを備え、各トレイにセンサを配置することにより、どの出力物が取り出されたかを検知することができれば、取り出した出力物に対応するリストＮｏのみの紙放置フラグを０にすることも可能である。
【００９３】
このためには、例えば、複数の出力トレイを備え、各トレイにセンサが配置することにより、どの出力物が取り出されたかを検知することができればよい。
【００９４】
また、排紙部Ｉ／Ｆ１２６により、排紙部１２７に出力物がなくなったことが通知された場合は、このリストの内容を全て消去し、リストを空にする。
【００９５】
＜入退出管理システムからユーザＩＤを受信したときの処理＞
図１５は、図１の画像処理装置によって実行される、図３、図１０の入退出管理システムからユーザＩＤを受信したときのユーザＩＤ受信処理の手順を示すフローチャートである。
【００９６】
ネットワーク部１０９を経由して退出するユーザＩＤを受信すると（ステップＳ１５０１）、紙放置リストにこのユーザＩＤと同じユーザＩＤがあるかどうかの判断を行う（ステップＳ１５０２）。
【００９７】
ステップＳ１５０１は、特定エリア内から退出するユーザを特定するためのユーザＩＤを受信する第２の受信手段として機能する。
【００９８】
同じユーザＩＤがない場合は、実行待ちキューを調べるステップＳ１５０５に進む。一方、同じユーザＩＤがある場合は、このユーザＩＤに関連付けて記憶されている紙放置フラグを紙放置リストから調べる（ステップＳ１５０３）。
【００９９】
この結果、紙放置フラグが１（放置中を示す）なら、入退出管理システム１００３に「ＮＧ（残紙あり）」を通知して（ステップＳ１５０４）、終了する。但し、紙放置フラグが０（放置なしを示す）の場合は、入退出管理システム１００３から受信したユーザＩＤと同じユーザＩＤが実行待ちキューにあるかどうかを確認する（ステップＳ１５０５）。
【０１００】
ステップＳ１５０４は、第１の受信手段により受信したユーザのジョブが実行されていた場合に、排紙部センサ５０３により印刷物を取りに来たかどうかを検知し、印刷物を取りに来ていない場合は、特定エリア内から退出するユーザに警告を出す警告手段である。
【０１０１】
ステップＳ１５０５は、第２の受信手段により受信したユーザＩＤが、第１の受信手段で受信したユーザＩＤと一致するかどうかを確認する第１の確認手段として機能する。また、ステップＳ１５０５は、第１の確認手段によりユーザＩＤが一致すると確認された場合に、第１の受信手段により受信したユーザのジョブが、実行されたかどうかを確認する第２の確認手段として機能する。
【０１０２】
実行待ちキューに同じユーザＩＤを持つジョブが存在しない場合は、入退出管理システム１００３に「ＯＫ」を通知して（ステップＳ１５０７）、終了する。一方、同じユーザＩＤがある場合は、実行待ちキューの退出ユーザの値を１（退出を示す）にする（ステップＳ１５０６）。
【０１０３】
これは、ユーザが特定エリアからいなくなるため、実行待ちキューにあるジョブの実行も中止するためである。そして、退出ユーザの値を変更した後は、入退出管理システム１００３に「ＯＫ」を通知して（ステップＳ１５０７）、終了する。
【０１０４】
ステップＳ１５０６は、第２の確認手段によりジョブが実行されていないと確認された場合、第１の受信手段で受信したジョブの属性を変更する変更手段として機能する。
【０１０５】
ＣＰＵ１０１は、第２の受信手段が特定エリア内から出たユーザの中で特定エリア内に戻ったユーザのユーザＩＤを受信すると、変更手段により変更したジョブの中で、特定エリア内に戻ったユーザのジョブを変更前の状態に戻すリトライ手段して機能する。
【０１０６】
また、ＣＰＵ１０１は、第１の受信手段により受信したジョブを実行するためにかかる時間を予測する予測手段として機能する。そして、変更手段は、予測手段に基づいて、第１の受信手段で受信したジョブの属性を変更する。
【０１０７】
また、変更手段は、排紙部センサ５０３の検知の結果に基づいて、第１の受信手段で受信したジョブの属性を変更する。
【０１０８】
次に、このような実行待ちキューを持つ画像処理装置において、実際にジョブを実行するための処理を、フローチャート図１６を用いて説明する。
【０１０９】
図１６は、図１の画像処理装置によるジョブ実行処理の手順を示すフローチャートである。
【０１１０】
まず、実行待ちキューが空でないかどうかの判断を行う（ステップＳ１６０１）。実行待ちキューが空の場合は、実行待ちキューに新しいジョブが入ってくるまで処理を行わない。
【０１１１】
実行待ちキューが空ではない場合は、実行待ちキューの先頭のジョブを探す（ステップＳ１６０２）。そして、このジョブのジョブ属性が、印刷物を出力するジョブ属性であるかどうかの判断を行う（ステップＳ１６０３）。
【０１１２】
ジョブの属性が印刷物を出さないもの（例えば、スキャンしたものをネットワーク経由で送信するセンド等）の場合は、次のようになる。まず、そのままジョブを実行して（ステップＳ１６０６）、当該ジョブを実行待ちキューから削除する（ステップＳ１６０７）。そして、実行待ちキューが空になったかどうかの判断（ステップＳ１６０１）に戻る。
【０１１３】
一方、ジョブの属性が印刷物を出力するものである場合は、このジョブに関連付けられている退出ユーザの値が１であるかどうかの判断を行う（ステップＳ１６０４）。この結果、退出ユーザの値が１ではない場合（０の場合）は、ユーザが特定エリア内にいるため、そのままジョブを実行する（ステップＳ１６０６）。そして、当該ジョブを実行待ちキューから削除し（ステップＳ１６０７）、実行待ちキューが空になったかどうかの判断（ステップＳ１６０１）に戻る。
【０１１４】
但し、退出ユーザの値が１の場合は、このジョブの属性をボックス（ＨＤＤ１０４内にジョブ内容を保存するジョブの属性）に変更して、変更したジョブを実行する（ステップＳ１６０５）。
【０１１５】
その後に、当該ジョブを実行待ちキューから削除して（ステップＳ１６０７）、実行待ちキューが空になったかどうかの判断（ステップＳ１６０１）に戻る。
【０１１６】
具体的な例として、図１７のような実行待ちキューがＨＤＤ１０４にある場合を説明する。
【０１１７】
まず、実行待ちキューが空かどうか調べる（ステップＳ１６０１）。この結果、３つの実行待ちジョブがあるが、先頭にあるキューＮｏ１のジョブを実行することに決める（ステップＳ１６０２）。
【０１１８】
そして、このジョブの属性を調べるとプリントなので（ステップＳ１６０３）、更に退出ユーザの値も調べる（ステップＳ１６０４）。この結果、退出ユーザの値は０、即ち要求を出したユーザは特定エリア内から退出していないので、そのまま「１ページ、Ａ４、１０部の設定が行われた印刷データの印刷」を行う（ステップＳ１６０６）。そして、このジョブを実行待ちキューから削除する（ステップＳ１６０７）。この結果、実行待ちキューは、図１８のような状態になる。
【０１１９】
次に、ステップＳ１６０１に戻り、キューＮｏ２のジョブも同様の処理を実行すると、ジョブの属性がセンドであるため、ステップＳ１６０３の判断後に、「宛先：ａｂｃに、スキャン文書ａ．ｐｄｆの送信」を行う（ステップＳ１６０６）。そして、このジョブを実行待ちキューから削除する（ステップＳ１６０７）。
【０１２０】
最後に、キューＮｏ３のジョブを実行すると、退出ユーザの値の判断（ステップＳ１６０４）までキューＮｏ１のときと同じ処理になる。しかし、退出ユーザの値が１なので、ジョブの属性をプリントからボックスに変更する。
【０１２１】
そして、ジョブの内容を「３ページ、Ａ４、１部の設定が行われた印刷データの印刷」から「３ページ、Ａ４、１部の設定が行われた印刷データの保存」に変更して実行する（ステップＳ１６０５）。そして、このジョブを実行待ちキューから削除する（ステップＳ１６０７）。
【０１２２】
以上の処理により、実行待ちキューが空になるので、実行待ちキューにジョブが入るまで処理を中止する。
【０１２３】
以上のように、特定エリア内から退出するユーザの実行待ちジョブを調べて、実行していない印刷ジョブの属性を変更することで、印刷を行わないようにすることができる。これにより、印刷物が放置されたままになることを防ぐことができる。
【０１２４】
＜派生形＞
尚、特定エリア内から退出するユーザの実行待ちキューにあったジョブは、ＨＤＤ１０４に保存されるが、保存する際に再度実行待ちキューに戻すことのできる構造でＨＤＤ１０４に保存することにより、以下の処理を行うことも可能である。
【０１２５】
入退出管理システム１００３により特定エリア内に戻ってきたユーザＩＤを検知すると、入室管理システム１００３から画像処理装置にこのユーザＩＤを通知する。そして、画像処理装置のネットワーク部１０９経由でこのユーザＩＤを受信すると、ＨＤＤ１０４に保存したこのユーザＩＤと関連付けられている情報を探し、自動的に実行待ちキューに戻す。
【０１２６】
（第２の実施の形態）
本実施の形態では、第１の実施の形態において、実行待ちキューにあるジョブのジョブ属性変更を、ユーザが特定エリア内から退出する前に行う例を説明する。尚、この実施の形態の処理は全て画像処理装置内で行われるものとする。
【０１２７】
第１の実施の形態では、画像処理装置のＨＤＤ１０４内の実行待ちキューにジョブを新しく追加するとき、ユーザが特定エリアから退出したか否かを示す、退出ユーザの値をデフォルトとして０（退出していないことを示す）にしていた。しかし、以下のような処理により退出ユーザの値のデフォルトを変更することができる。
【０１２８】
尚、ＨＤＤ１０４内にこのユーザが特定エリア内から退出すべき時間が記憶されていることとし、更に実行待ちキューに登録されている全ジョブの時間時間が予測できることとする。
【０１２９】
この場合に、退出ユーザの値を決める処理を、図１９を用いて説明する。尚、この処理により退出ユーザの値を決めて実行待ちキューに入れた後の処理は、第１の実施の形態と同じであるため、省略する。
【０１３０】
図１９は、図１の画像処理装置によって実行される実行待ちキューの退出ユーザ値決定処理の手順を示すフローチャートである（１）。
【０１３１】
まず、実行待ちキューに追加するジョブのユーザＩＤに関連付けて記憶されている退出時間を決定する（ステップＳ１９０１）。次に、実行待ちキューに残っている全てのキューを実行した場合にかかる総時間と、今度追加するジョブを実行した場合にかかる時間を予測する。そしてこれらの時間の合計を待ち時間とする（ステップＳ１９０２）。
【０１３２】
次に、現在の時刻から待ち時間が経過した後の時間が、ステップＳ１９０１で決定したユーザの退出時間よりも前かどうかを判断する（ステップＳ１９０３）。
【０１３３】
この結果、ユーザの退出時間よりも前に終わる場合は、実行待ちキューの追加するジョブの退出ユーザの値を０にして追加する（ステップＳ１９０４）。一方、ユーザの退出時間以降になる場合は、実行待ちキューの追加するジョブの退出ユーザの値を１にして追加する（ステップＳ１９０５）。
【０１３４】
例えば、ユーザＩＤ：３８６１０のユーザの退出時間が２２時とＨＤＤ１０４に記憶されているとする。そして、実行待ちキューの全ジョブを実行した場合にかかる時間が８分、ユーザＩＤ：３８６１０のユーザが投入したジョブを実行した場合にかかる時間が２分と予測できたとする。この場合は次のようになる。
【０１３５】
２１時５０分までに投入したジョブは、退出ユーザ値を０にして実行待ちキューに追加し、２１時５０分以降に投入したジョブは、退出ユーザ値を１にして実行待ちキューに追加する。
【０１３６】
以上により、ユーザの退出時間が決まっている場合は、この退出時間以降に実行されるジョブはすべてＨＤＤ１０４に保存することで、印刷物が放置されたままになることを防ぐことができる。
【０１３７】
（第３の実施の形態）
本実施の形態では、第１の実施の形態において、実行待ちキューにあるジョブのジョブ種類変更を、ユーザが特定エリア内から退出する前に行う例を説明する。尚、この実施の形態の処理は全て画像処理装置内で行われるものとする。
【０１３８】
第１の実施の形態では、画像処理装置のＨＤＤ１０４内の実行待ちキューにジョブを新しく追加するときに、退出ユーザの値をデフォルトとして０にしていた。しかし、排紙部センサ５０３により、印刷物が特定の枚数以上置いてあることが検知できる場合は、以下のような処理により退出ユーザの値のデフォルトを変更することができる。
【０１３９】
この退出ユーザの値を決める処理を、フローチャート図２０を用いて説明する。尚、この処理により退出ユーザの値を決めて実行待ちキューに入れた後の処理は、第１の実施の形態と同じであるため、省略する。
【０１４０】
図２０は、図１の画像処理装置によって実行される実行待ちキューの退出ユーザ値決定処理の手順を示すフローチャートである（２）。
【０１４１】
まず、実行待ちキューにジョブを新しく追加するとき、排紙部センサ５０３により、特定の枚数以下の印刷物しか置いていないかどうかを確認する（ステップＳ２００１）。このための確認方法としては、例えば印刷物の高さを検出し、予め決められた高さを越えていなければ、特定の枚数以下であると見なすことが可能である。
【０１４２】
この結果、特定の枚数以下の場合は、実行待ちキューの追加するジョブの退出ユーザの値を０にして追加する（ステップＳ２００２）。一方、特定の枚数より多い場合は、実行待ちキューの追加するジョブの退出ユーザの値を１にして追加する（ステップＳ２００３）。
【０１４３】
以上により、排紙部１２７が印刷物で埋まって場合は自動的に印刷を行わないようにすることができる。これにより、排紙部１２７から紙が落ちて散逸すること等を防ぐことができる。
【０１４４】
（その他の実施の形態）
更に本発明は、複数の機器（例えばコンピュータ、インターフェース機器、リーダ、プリンタ等）から構成されるシステムに適用することも、１つの機器からなる装置（複合機、プリンタ、ファクシミリ装置等）に適用することも可能である。
【０１４５】
また、本発明の目的は、以下の処理を実行することによっても達成される。即ち、上述した実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出す処理である。
【０１４６】
この場合、記憶媒体から読み出されたプログラムコード自体が前述した実施の形態の機能を実現することになり、そのプログラムコード及び該プログラムコードを記憶した記憶媒体は本発明を構成することになる。
【０１４７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１４９】
更に、上述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１５０】
１００  コントローラユニット
１０１  ＣＰＵ
１０２  ＲＡＭ
１０３  ＲＯＭ
１０４  ＨＤＤ
１０９  ネットワーク部
１１０  モデム
１１１  通信部
１１６  ＲＩＰ
１１８  スキャナ画像処理部
１１９  プリンタ画像処理部
１２０  画像回転部
１２１  画像処理部
【図１】
2010243841.tif 000003
【図２】
2010243841.tif 000004
【図３】
2010243841.tif 000005
【図４】
2010243841.tif 000006
【図５】
2010243841.tif 000007
【図６】
2010243841.tif 000008
【図７】
2010243841.tif 000009
【図８】
2010243841.tif 000010
【図９】
2010243841.tif 000011
【図１０】
2010243841.tif 000012
【図１１】
2010243841.tif 000013
【図１２】
2010243841.tif 000014
【図１３】
2010243841.tif 000015
【図１４】
2010243841.tif 000016
【図１５】
2010243841.tif 000017
【図１６】
2010243841.tif 000018
【図１７】
2010243841.tif 000019
【図１８】
2010243841.tif 000020
【図１９】
2010243841.tif 000021
【図２０】
2010243841.tif 000022